(57)【要約】  本発明は、リング状重力体と重力体に接続されるハンドルとを含み、ハンドルがリング状重力体の内径方向に位置し、ハンドルの端部と重力体とが取り外し可能に締め付けられ、リング状重力体の内側表面にプロテクトカバーが嵌められ、前記プロテクトカバーによってリング状重力体とハンドルとの取付け箇所を覆うことにより、滑らかな外側表面を形成するフィットネス機器を開示した。本発明は、プロテクトカバーの応用およびハンドルの両端部に関する構造設計により、フィットネスの各表面を滑らかにし、使用者に対する傷害を有効的に回避する。【選択図】図２
2013505746.tif 000002
【特許請求の範囲】
【請求項１】
リング状重力体と当該重力体に取付けられるハンドルとを含み、前記ハンドルが前記リング状重力体の内径方向に位置するフィットネス機器であって、
前記ハンドルの端部と前記重力体とが取り外し可能に締め付けられ、前記リング状重力体の内側表面にプロテクトカバーが嵌められ、前記プロテクトカバーによってリング状重力体とハンドルとの取付け箇所が覆われることにより、滑らかな外側表面を形成することを特徴とするフィットネス機器。
【請求項２】
前記ハンドルの端部と前記重力体とが取り外し可能に締め付けられることは、
前記ハンドルの端面において軸方向に沿って締め付け用ねじ穴が設けられ、
リング状重力体の内側表面、外側表面の間には前記ハンドルの締め付け用ねじ穴に対応した階段状スルーホールが設けられ、
前記階段状スルーホールの直径の大きい端部はリング状重力体の外側表面のほうに位置し、前記階段状スルーホール内に形状が合致する階段状スリーブが設けられ、
前記階段状スリーブには軸方向に沿ってボルトビアが設けられ、ボルトがスリーブ内の前記ボルトビアを通してねじ山によってハンドルの締め付け用ねじ穴と接続されることにより、当該ハンドルと前記リング状重力体とを締め付け、
前記リング状重力体のスルーホールの外端口は前記スルーホール形状に合致させたカバーによって覆われることを特徴とする請求項１に記載のフィットネス機器。
【請求項３】
前記ハンドルの端面には円周方向に沿って直角切り欠き（８２）が設けられ、前記スリーブの内側端面には軸方向に沿ってザグリが設けられ、前記ザグリの内径と前記直角切り欠き（８２）により形成された円柱面の直径とを合致させることにより、ザグリの裏壁が円柱面にスリーブ接続（Ｓｌｅｅｖｅｃｏｎｎｅｃｔｅｄ）され、かつ前記スリーブの内側端面と前記ハンドルの直角切り欠き（８２）にある径方向の端面とが当接することを特徴とする請求項２に記載のフィットネス機器。
【請求項４】
前記スリーブの端面内側の前記ザグリには、内側表面と外側表面との間に切り欠き（７１）が設けられ、前記ハンドル上の直角切り欠き（８２）の対応する位置には突起が設けられ、前記スリーブと前記ハンドルがスリーブ接続される際、前記突起が切り欠き（７１）に嵌められることによって、前記ハンドルと前記スリーブとの間の位置決めをすることを特徴とする請求項３に記載のフィットネス機器。
【請求項５】
前記プロテクトカバーはリング状構造の第１プロテクトカバーと第２プロテクトカバーとを含み、
それぞれの内周面が滑らかな表面であり、外周面と前記リング状重力体の内側表面とが合致し、
前記第１、第２プロテクトカバーはそれぞれリング状重力体の軸に沿って両側から互いに接続し、
前記第１、第２プロテクトカバーは突合せ接続機構により締付けて接続されるとともに、前記リング状重力体の内側表面を覆い、
前記第１、第２プロテクトカバーは前記ハンドルの実装部においてそれぞれハンドルの形状に合致させた、軸方向が前記ハンドルと一致した半円のリング型包み部が設けられ、当該包み部の軸方向の端面には凸部が設けられ、当該凸部が前記ハンドルの径方向に沿って伸び、前記ハンドル上において当該凸部に対応する位置にリング状溝が設けられ、前記凸部と前記ハンドルのリング状溝とが合致し、溝に嵌められることによって、前記包み部によるハンドルとプロテクトカバーとの間での平滑な接続が実現されることを特徴とする請求項１〜４ のいずれかに記載のフィットネス機器。
【請求項６】
前記第１、第２プロテクトカバーの間における突合せ接続機構においては、
前記第２プロテクトカバーの端面には円周方向に沿ってスナップリングが設けられ、
前記第１プロテクトカバーには円周方向に沿って等ピッチのバックル板が設けられ、バックル板は軸方向に沿って伸び、且つ径方向に弾性を有し、バックル板の自由端の内側にはラップ部が設けられ、当該ラップ部はバックル板の内側の表面から突出し、当該ラップ部の上部には傾斜のガイド面が設けられ、
前記第１、第２プロテクトカバーが噛み合った場合、前記ラップのガイド面と前記スナップリンクの端面とが当接した後に前記バックル板が径方向に沿って外側に弾性変形して、前記ラップ部を前記スナップリンクの端面から越えさせ、前記ラップ部が前記スナップリンクを越えた後に前記バックル板が弾性力により戻り、前記ラップ部と前記スナップリンクとが互いに噛み合って前記第１、第２プロテクトカバーの間に緊密に接続されることを特徴とする請求項５に記載のフィットネス機器。
【請求項７】
前記リング状重力体の内側表面におけるバックル板に対応する位置には凹部が設けられ、前記バックルの幅および厚さが当該凹部と合致し、前記第１、第２プロテクトカバーが互いに噛み合った後に、前記バックル板が前記凹部に嵌められることを特徴とする請求項６に記載のフィットネス機器。
【請求項８】
前記のリング状重力体の外側表面にはゴムからなるプロテクトケースがスリーブ接続され、プロテクトケースの外側表面に装飾リングがスリーブ接続されることを特徴とする請求項１〜４のいずれかに記載のフィットネス機器。
【請求項９】
前記のハンドルの外側表面にはゴムからなる滑り止め層が塗布されることを特徴とする請求項１〜４のいずれかに記載のフィットネス機器。
【発明の詳細な説明】
【技術分野】
【０００１】
本発明はフィットネス機器に関し、特にリング状重力体を有するフィットネス機器に関する。
【背景技術】
【０００２】
現在の家庭用フィットネス機器においては、リング状重力体を有するフィットネス機器が使われてきている。
【０００３】
このフィットネス機器はリング状重力体、及び当該リング状重力体と可動的に取付けられるハンドルを含む。重力体の内周面にはハンドルを取付けるために当該ハンドルに対応した四角形の実装溝が設けられる。ハンドルの両端の側表面には上記ハンドルの実装溝と合致するハンドル鍵面が形成され、ハンドルの両端面にねじ穴が設けられる。ハンドルは、実装溝に沿って取り付け合う位置でボルトによってリング状重力体の外表面に設けられたねじ穴を介してリング状重力体と締め付けられる。
【発明の概要】
【発明が解決しようとする課題】
【０００４】
上記のような構成の採用は、ハンドルの実装溝によりフィットネス機器のリング状重力体の内側表面の一体化が損なわれ、使用中、使用者の皮膚を傷つけやすいという問題がある。
【０００５】
本発明は上記従来技術における問題に鑑みてなされたものであって、プロテクトカバーの応用およびハンドル両端部に関する構造設計によって、フィットネス機器の各表面を滑らかにし、使用者に対する傷害を有効に回避する。
【課題を解決するための手段】
【０００６】
本発明に係るフィットネス機器は、リング状重力体と重力体に取付けられるハンドルとを含み、当該ハンドルはリング状重力体の内径方向に位置する。ハンドル端部と重力体とは取り外し可能に締め付けられる。リング状重力体の内側表面は、プロテクトカバーが嵌められ、当該プロテクトカバーによってリング状重力体とハンドルとの取付け箇所を覆うことより、滑らかな外側表面を形成する。
【０００７】
ここで、ハンドル端部と重力体とが取り外し可能に締め付けられることは、具体的に次の通りである。ハンドル端面には軸方向に沿って締め付け用ねじ穴が設けられる。これと対応して、リング状重力体の内側表面と外側表面との間にはハンドルの締め付け用ねじ穴に対応する階段状のスルーホールが設けられる。階段状スルーホールの直径の大きい端部はリング状重力体の外側表面のほうに位置し、階段状スルーホール内にその形状に合致させた階段状スリーブが設けられる。階段状スリーブには軸方向に沿ってボルトビアが設けられ、ボルトがスリーブ内のボルトビアを貫いてハンドルの締め付け用ねじ穴のねじやまと接続することにより、ハンドルとリング状重力体とを締め付ける。リング状重力体のスルーホールの外端口は当該スルーホール形状に合致させたカバーによって覆われる。
【０００８】
ここで、ハンドル端面には円周方向に沿って凹部８２が設けられ、スリーブの内側の端面には軸方向に沿ってザグリが設けられる。ザグリの内径と凹部８２により形成された円柱面の直径を合致させることにより、ザグリの裏壁が円柱面にスリーブ接続され、かつスリーブの内側端面とハンドルの凹部８２にある径方向の端面とが当接する。
【０００９】
ここで、スリーブの内側のザグリには、内側表面と外側表面の間に切り欠き７１が設けられる。ハンドル上の凹部８２の対応する位置には突起が設けられ、スリーブとハンドルがスリーブ接続される際、突起が切り欠き７１に嵌められ、これでハンドルとスリーブとの間の位置決めをする。
【００１０】
ここで、プロテクトカバーはリング状構造の第１プロテクトカバー及び第２プロテクトカバーを含み、それぞれの内周面は滑らかな表面で、外周面と前記リング状重力体の裏面とが合致する。第１、第２プロテクトカバーはそれぞれリング状重力体の軸に沿って両側から互いに接続する。また、第１、第２プロテクトカバーは突合せ接続機構より締付けて接続されると同時に、リング状重力体の内側表面を覆う。第１、第２プロテクトカバーはハンドルの実装部でそれぞれハンドルの形状に合致させた、軸方向がハンドルと一致した半円のリング型包み部が設けられ、包み部の軸方向の端面には凸部が設けられ、凸部がハンドルの径方向にそって伸び、これに伴い、ハンドル上に凸部に対応する位置にリング状溝が設けられ、凸部とハンドルのリング状溝とが合致し、溝に嵌められてから、包み部によりハンドルとプロテクトカバーとの間で平滑な接続が実現される。
【００１１】
ここで、第１、第２プロテクトカバーの間における突合せ接続機構は具体的に次のような機構である。第２プロテクトカバーの端面には円周方向に沿ってスナップリングが設けられ、第１プロテクトカバーには円周方向に沿って等ピッチのバックル板が設けられ、バックル板は軸方向に沿って伸び、且つ径方向に弾性を有し、バックル板の自由端の内側にはラップ部があり、ラップ部はバックル板の内側の表面から突出し、ラップ部の上部には傾斜のガイド面が設けられる。第１、第２プロテクトカバーが噛み合った場合、ラップのガイド面とスナップリンクの端面とが当接してから、バックル板が径方向に沿って外側に弾性変形してラップ部をスナップリンクの端面から越えさせ、ラップ部がスナップリンクを越えた後にバックル板が弾性力により戻り、このときにラップ部とスナップリンクとが互いに噛み合って第１、第２プロテクトの間の緊密な接続となる。
【００１２】
ここで、リング状重力体の内側表面におけるバックル板に対応する位置には凹部が設けられ、バックルの幅および厚さを凹部と合致させ、第１、第２プロテクトカバーが互いに噛み合った後に、バックル板が凹部に嵌められる。
【００１３】
ここで、リング状重力体の外側表面にはゴムからなるプロテクトケースがスリーブ接続されることができ、プロテクトケースの外側表面に装飾リングがスリーブ接続され、ハンドルの外表面にはゴムからなる滑りとめ層が塗布される。
【発明の効果】
【００１４】
従来技術に比べ、本発明はプロテクトカバーを用いてリング状重力体の内側表面、及びリング状重力体とハンドルとの接続箇所を覆うことより、フィットネス機器の各表面を滑らかにし、使用過程でユーザの皮膚を傷つけにくくする。
【図面の簡単な説明】
【００１５】
【図１】本発明に係るフィットネス機器のハンドル部の断面図である。
【図２】本発明に係るフィットネス機器の分解図である。
【図３】図２におけるＡの局部拡大図である。
【図４】図２におけるＢの局部拡大図である。
【発明を実施するための形態】
【００１６】
以下、図面を参照しながら本発明の具体的な実施形態を詳細に説明する。但し、本発明の保護範囲は具体的な実施形態に限らないことは言うまでもない。
【００１７】
図１、２に示すように、本発明に係るフィットネス機器は、リング状重力体４とハンドル８とを有する。
【００１８】
ハンドル８はリング状重力体４の内径方向に位置する。ハンドル８の両端部と重力体４とは、取り外し可能な接続機構によって締め付けられる。
【００１９】
リング状重力体４の内側表面には、第１プロテクトカバー３および第２プロテクトカバー９が嵌められている。リング状重力体とハンドルとの接続箇所、およびリング状重力体の内側表面は、第１、第２プロテクトカバーにより覆われ、滑らかになる。これによって、フィットネス機器が使用されるとき、ユーザの皮膚に対する傷害を回避する。
【００２０】
さらに、図１〜４に示すように、ハンドル８と重力体４との取り外し可能な接続機構は、次の通りである。
【００２１】
ハンドルの端面には軸方向に沿って所定の深さの締め付け用ねじ穴８４が設けられている。
【００２２】
リング状重力体４には、外側表面と内側表面の間にハンドルの締め付け用ねじ穴８４に対応した階段状のスルーホール４１が設けられている。
【００２３】
スルーホール４１の直径の大きい端部分は重力体の外側表面のほうに位置し、スルーホール４１内にはその形状と合致する階段状のスリーブ７が配置される。
【００２４】
スリーブ７にはその軸方向に沿ってボルトビア７２が設けられている。
【００２５】
ハンドル８の端部には端面をリング状に切り欠いてできた凹部８２が設けられている。
【００２６】
ハンドルには凹部８２の近傍にこれと平行するリング状溝８１が設けられている。
【００２７】
スリーブ７の内側のハンドルと突合せる端面には、軸方向に沿って所定の深さのザグリ７３が設けられている。
【００２８】
ザグリの内径とハンドルの凹部８２から形成された円柱の直径とを合致させることにより、スリーブ７とハンドル８とがスリーブ接続され、スリーブ７の内側端面とハンドルの凹部８２の径方向の端面とが当接する。
【００２９】
スリーブ７の端面のザグリ７３の内側表面、外側表面の間には所定幅および所定長さの切り欠き７１が設けられ、ハンドル上の凹部８２の対応する位置には突起８３が設けられ、スリーブ７とハンドル８とがスリーブ接続されるときに、突起８３がスリーブの切り欠き７１に嵌められ、これでハンドルとスリーブとの間の位置決めをする。
【００３０】
ハンドル８とリング状重力体４とは、ボルト５がワッシャ６およびスリーブ７を通してハンドルの締め付け用ねじ穴８４とねじ山によって接続されることにより、締め付けられる。
【００３１】
リング状重力体のスルーホール４１の外端口はスルーホール形状に合致させた端部カバー１１０によって覆われる。
【００３２】
さらに、図面１〜２に示すように、プロテクトカバーはリング状構造で、第１プロテクトカバー３と第２プロテクトカバー９からなり、プロテクトカバーの内側表面は滑らかな表面で、外側表面はフィットネス機器のリング状重力体４の内側表面と合致し、それぞれがリング状重力体４の軸に沿って両側から互いに接続する。
【００３３】
２つのプロテクトカバーは突合せ接続機構によって締め付けられるとともに、リング状重力体４の内側表面を覆う。
【００３４】
プロテクトカバーには、ハンドル実装部でハンドルの形状に合致させた、軸方向がハンドルと一致した半円リング型包み部が設けられる。すなわち、第１プロテクトカバーの包み部３３及び第２プロテクトカバーの包み部９２がそれぞれ設けられる。
【００３５】
包み部の軸方向の端面には凸部、すなわち第１プロテクトカバーの凸部３４および第２プロテクトカバーの凸部９３が設けられる。
【００３６】
凸部はハンドルの径方向に沿って内側に伸び、上記のハンドルのリング状溝８１と合致し、リング状溝８１に嵌められる。
【００３７】
前記包み部により、ハンドルとプロテクトカバーとの間で平滑な接続が実現される。
【００３８】
さらに、図１〜２に示すように、プロテクトカバーの間の接続機構はバックル機構である。
【００３９】
ここで、第２プロテクトカバー９の端面には、円周方向に沿ってスナップリング９１が設けられている。
【００４０】
第１プロテクトカバー３には、円周方向に沿って等ピッチで所定幅および厚さのバックル板３１が設けられる。
【００４１】
バックル板３１は軸方向に沿って伸び、かつ径方向に弾性を有し、バックル板３１の自由端にはラップ部３２が設けられる。
【００４２】
ラップ部３２は内側に向き、バックル板３１の内側表面から突出する。ラップ部３２の上部には傾斜のガイド面が設けられる。
【００４３】
２つのプロテクトカバーが噛み合ったとき、ラップ部のガイド面とスナップリング９１の端面とが当接した後、バックル板３１が径方向に沿って弾性変形することで、ラップ部がスナップリング９１の端面を越え、ラップ３２がスナップリング９１を越えた後、弾性力によってバックル板が戻り、ラップ部３２とスナップリング９１とが互いに噛み合うことにより、プロテクトカバー同士が緊密に接続される。
【００４４】
リング状重力体４の内側表面における、バックル板３１に対応する位置には凹部が設けられ（図面には示さず）、バックル３１の幅、厚さをこの凹部と合致させ、第１、第２のプロテクトカバーが互いに噛み合った後に、バックル板３１がこの凹部に嵌められる。
【００４５】
図１〜２に示すように、リング状重力体４の外側表面にはゴムからなるプロテクトケース２がスリーブ接続され、プロテクトケース２の外側表面に装飾リング１がスリーブ接続される。
【００４６】
ハンドル８の外表面にはゴムからなる滑り止め層１０が塗布される。
【００４７】
本発明に係るフィットネス機器は、プロテクトカバーを用いてリング状重力体の内側表面、およびリング状重力体とハンドルとの接続箇所を覆い、フィットネス機器の各表面を滑らかにすることにより、利用する際、ユーザの皮膚を傷付けにくくする。
【００４８】
上記に記載するものは本発明における１つの具体的な実施形態だけであり、本発明はこれに限らず、当業者によって想到できる変更も本発明の保護範囲内になる。
【符号の説明】
【００４９】
１  リング状重力体の外装リング、
２  リング状重力体プロテクトケース、
３  第１プロテクトカバー、
３１  第１プロテクトカバーのバックル板、
３２  バックル板のラップ部、
３３  第１プロテクトカバーの包み部、
３４  第１プロテクトカバーの凸部、
４  リング状重力体、
４１  リング状重力体上の階段状スルーホール、
５  締め付けボルト、
６  ワッシャ、
７  スリーブ、
７１  スリーブ切り欠き、
７２  スリーブのボトルビア、
７３  スリーブのザグリ、
８  ハンドル、
８１  ハンドルのリング状溝、
８２  ハンドルの凹部、
８３  ハンドルの突起、
８４  ハンドルの締め付け用ねじ穴、
９  第２プロテクトカバー、
９１  第２プロテクトカバーのスナップリング、
９２  第２プロテクトカバーの包み部、
９３  第２プロテクトカバーの凸部、
１０  ハンドルの滑りとめ層、
１１０  リング状重力体のスルーホールの外端口のカバー。
【図１】
2013505746.tif 000003
【図２】
2013505746.tif 000004
【図３】
2013505746.tif 000005
【図４】
2013505746.tif 000006
【手続補正書】
【提出日】平成24年10月2日(2012.10.2)
【手続補正１】
【補正対象書類名】特許請求の範囲
【補正対象項目名】請求項１
【補正方法】変更
【補正の内容】
【請求項１】
リング状重力体と当該重力体に取付けられるハンドルとを含み、前記ハンドルが前記リング状重力体の内径方向に位置するフィットネス機器であって、
前記ハンドルの端部と前記重力体とが取り外し可能に締め付けられ、前記リング状重力体の内側表面にそれぞれリング状重力体の軸に沿って両側から第１、第２プロテクトカバーが互いに接続し、前記第１、第２プロテクトカバーによってリング状重力体とハンドルとの取付け箇所が覆われることにより、滑らかな外側表面を形成することを特徴とするフィットネス機器。
【手続補正２】
【補正対象書類名】特許請求の範囲
【補正対象項目名】請求項５
【補正方法】変更
【補正の内容】
【請求項５】
前記第１プロテクトカバーと第２プロテクトカバーはリング状構造であり、
それぞれの内周面が滑らかな表面であり、外周面と前記リング状重力体の内側表面とが合致し、
前記第１、第２プロテクトカバーは突合せ接続機構により締付けて接続されるとともに、前記リング状重力体の内側表面を覆い、
前記第１、第２プロテクトカバーは前記ハンドルの実装部においてそれぞれハンドルの形状に合致させた、軸方向が前記ハンドルと一致した半円のリング型包み部が設けられ、当該包み部の軸方向の端面には凸部が設けられ、当該凸部が前記ハンドルの径方向に沿って伸び、前記ハンドル上において当該凸部に対応する位置にリング状溝が設けられ、前記凸部と前記ハンドルのリング状溝とが合致し、溝に嵌められることによって、前記包み部によるハンドルとプロテクトカバーとの間での平滑な接続が実現されることを特徴とする請求項１〜４のいずれかに記載のフィットネス機器。
【手続補正３】
【補正対象書類名】明細書
【補正対象項目名】０００６
【補正方法】変更
【補正の内容】
【０００６】
本発明に係るフィットネス機器は、リング状重力体と重力体に取付けられるハンドルとを含み、当該ハンドルはリング状重力体の内径方向に位置する。ハンドル端部と重力体とは取り外し可能に締め付けられる。リング状重力体の内側表面は、それぞれリング状重力体の軸に沿って両側から第１、第２プロテクトカバーが互いに接続し、当該第１、第２プロテクトカバーによってリング状重力体とハンドルとの取付け箇所を覆うことより、滑らかな外側表面を形成する。
【手続補正４】
【補正対象書類名】明細書
【補正対象項目名】００１０
【補正方法】変更
【補正の内容】
【００１０】
ここで、第１プロテクトカバー及び第２プロテクトカバーはリング状構造であり、それぞれの内周面は滑らかな表面で、外周面と前記リング状重力体の裏面とが合致する。また、第１、第２プロテクトカバーは突合せ接続機構より締付けて接続されると同時に、リング状重力体の内側表面を覆う。第１、第２プロテクトカバーはハンドルの実装部でそれぞれハンドルの形状に合致させた、軸方向がハンドルと一致した半円のリング型包み部が設けられ、包み部の軸方向の端面には凸部が設けられ、凸部がハンドルの径方向にそって伸び、これに伴い、ハンドル上に凸部に対応する位置にリング状溝が設けられ、凸部とハンドルのリング状溝とが合致し、溝に嵌められてから、包み部によりハンドルとプロテクトカバーとの間で平滑な接続が実現される。
【国際調査報告】
2013505746.tif 000007
2013505746.tif 000008
2013505746.tif 000009
2013505746.tif 000010